(57)【要約】【課題】  汎用モータを用いた場合でも、組立作業の作業効率を悪化させることがなく、３本のハーネスで２つの汎用モータに給電することが可能な鏡面調整アクチュエータ用アダプタ、及び、これを用いた２つのモータとハーネス群との接続構造を提供する。【解決手段】  扁平な矩形の箱状に形成されたアダプタ本体２１と、２つのモータ１０Ａ、１０Ｂの二対の雄端子１３Ａ、１３Ｂと嵌合する４つの（二対の）モータ用雌端子２２（２２ａ、２２ｂ、２２ｃ、２２ｄ）と、ハーネス群３０の雄端子３３と嵌合する３つのハーネス用雌端子２３（２３ａ、２３ｂ、２３ｃ）と、これらのモータ用雌端子２２とハーネス用雌端子２３とを接続する複数の導電体２４ａ、２４ｂ、２４ｃ、２４ｄ、２４ｅと、からアダプタ２０を構成する。【選択図】      図３
2006088788.tif 000002
【特許請求の範囲】
【請求項１】
一端側に回転軸を備えるとともに他端側に一対の雄端子を備え、底壁と周壁とを有するハウジングケースに対して前記一対の雄端子と前記周壁とが対向するように設置される２つのモータと、前記２つのモータに給電するためのハーネス群と、を接続する鏡面調整アクチュエータ用アダプタであって、
アダプタ本体と、
前記各モータの雄端子と嵌合する二対のモータ用雌端子と、
前記ハーネス群に設けられる端子と嵌合する複数のハーネス用端子と、
前記各モータ用雌端子と前記各ハーネス用端子とを接続する複数の導電体と、を備え、
前記モータ用雌端子は、前記アダプタ本体の一の面に形成され、
前記ハーネス用端子は、前記アダプタ本体と前記モータとを互いに接続した状態で前記ハウジングケースの底壁に設置したときに、当該底壁と反対方向を向く前記アダプタ本体の他の面に形成されていることを特徴とする鏡面調整アクチュエータ用アダプタ。
【請求項２】
前記複数のハーネス用端子は、３つのハーネス用端子で構成され、
前記各導電体は、
前記二対のモータ用雌端子のうち、それぞれの対の一方のモータ用雌端子と、前記３つのハーネス用端子のうちの１つのハーネス用端子とを接続するとともに、
他方のモータ用雌端子と、他の２つのハーネス用端子とをそれぞれ接続することを特徴とする請求項１に記載の鏡面調整アクチュエータ用アダプタ。
【請求項３】
一端側に回転軸を備えるとともに他端側に一対の雄端子を備え、底壁と周壁とを有するハウジングケースに対して前記一対の雄端子と前記周壁とが対向するように設置される２つのモータと、
この２つのモータに給電するハーネス群と、
前記２つのモータと前記ハーネス群とを接続する鏡面調整アクチュエータ用アダプタと、からなる２つのモータとハーネス群との接続構造であって、
前記鏡面調整アクチュエータ用アダプタは、
アダプタ本体と、
前記モータの雄端子と嵌合する二対のモータ用雌端子と、
前記ハーネス群に設けられる端子と嵌合する複数のハーネス用端子と、
前記各モータ用雌端子と前記各ハーネス用端子とを接続する複数の導電体と、を備え、
前記モータ用雌端子は、前記アダプタ本体の一の面に形成され、
前記ハーネス用端子は、前記アダプタ本体と前記モータとを互いに接続した状態で前記ハウジングケースの底壁に設置したときに、当該底壁と反対方向を向く前記アダプタ本体の他の面に形成され、
前記ハーネス群は、前記ハーネス用端子に接続されていることを特徴とする２つのモータとハーネス群との接続構造。
【請求項４】
一端側に回転軸を備えるとともに他端側に一対の雄端子を備え、底壁と周壁とを有するハウジングケースに対して前記一対の雄端子と前記周壁とが対向するように設置される２つのモータと、
この２つのモータに給電するハーネス群と、
前記２つのモータと前記ハーネス群とを接続する鏡面調整アクチュエータ用アダプタと、からなる２つのモータとハーネス群との接続構造であって、
前記鏡面調整アクチュエータ用アダプタは、
アダプタ本体と、
前記モータの雄端子と嵌合する二対のモータ用雌端子と、
前記ハーネス群に設けられる端子と嵌合する複数のハーネス用端子と、
前記各モータ用雌端子と前記各ハーネス用端子とを接続する複数の導電体と、を備え、
前記モータ用雌端子は、前記アダプタ本体の一の面に形成され、
前記ハーネス用端子は、前記アダプタ本体と前記モータとを互いに接続した状態で前記ハウジングケースの底壁に設置したときに、当該底壁の方向を向く前記アダプタ本体の他の面に形成され、
前記ハーネス群は、前記ハウジングケースの底壁に前記ハーネス用端子に対応して形成された挿通孔を介して、前記ハーネス用端子に接続されていることを特徴とする２つのモータとハーネス群との接続構造。
【請求項５】
前記ハーネス群は、
３本のハーネスと、
この３本のハーネスの端部が連結される３つの雄端子と、を備え、
前記複数のハーネス用端子は、３つのハーネス用端子で構成され、
前記鏡面調整アクチュエータ用アダプタの各導電体は、
前記二対のモータ用雌端子のうち、それぞれの対の一方のモータ用雌端子と、前記３つのハーネス用端子のうちの１つのハーネス用端子とを接続するとともに、
他方のモータ用雌端子と、他の２つのハーネス用端子とをそれぞれ接続することを特徴とする請求項３又は請求項４に記載の２つのモータとハーネス群との接続構造。
【発明の詳細な説明】
【技術分野】
【０００１】
本発明は、２つのモータとハーネス群とを接続する鏡面調整アクチュエータ用アダプタ、及び、これを用いた２つのモータとハーネス群との接続構造に関する。
【背景技術】
【０００２】
近年、自動車のサイドミラーには、ミラーの向きを調節するための鏡面調整アクチュエータが搭載されており、運転者は、運転席に備えられた操作パネルを操作することでアクチュエータを動かし、ミラーの向きを調節することができるようになっている。従来の一般的な鏡面調整アクチュエータは、図８、図９に示すように、２つのモータ１１０Ａ、１１０Ｂを備えており、かかる２つのモータ１１０Ａ、１１０Ｂによって２つのナットアジャスト（図示省略）を上下動させて、ミラーを自在に傾動させている（特許文献１参照）。
【０００３】
ここで、鏡面調整アクチュエータ用のモータ１１０Ａ、１１０Ｂとしては、図９（ｂ）に示すように、雌端子１１１Ａ、１１１Ｂを備えるとともに、当該雌端子１１１Ａ、１１１Ｂがモータの回転軸１１２Ａ、１１２Ｂ（図８参照）の軸方向に対して９０°回転した向きに形成されている特殊なモータが使用されている。
【０００４】
また、従来の鏡面調整アクチュエータにおいては、これら２つのモータ１１０Ａ、１１０Ｂに４本のハーネス１３１、１３１…を接続して電力を供給している。ここで、ハーネス１３１、１３１…の端部には、前記２つのモータ１１０Ａ、１１０Ｂの合計４つの（二対の）雌端子１１１Ａ、１１１Ｂに対応した４つの雄端子１３２、１３２…を有するコネクタ１３３が形成され、ハーネス１３１、１３１…をこれら２つのモータ１１０Ａ、１１０Ｂに一度に接続できるようになっている。
【特許文献１】米国特許第６４６７９２０号明細書（図２、図６、図７）
【発明の開示】
【発明が解決しようとする課題】
【０００５】
ところで、従来の鏡面調整アクチュエータに用いられている特殊なモータ１１０Ａ、１１０Ｂは、モータの回転軸と反対方向に突設された一対の雄端子を有する汎用的なモータ（以下、「汎用モータ」という場合がある。）に比べて、生産量が少なく、部品調達が困難で製品単価か高い。そのため、鏡面調整アクチュエータに汎用的なモータを使用したいという要望が強かった。
【０００６】
しかしながら、鏡面調整アクチュエータに汎用モータを用いた場合、汎用モータの雄端子は、前述のように、汎用モータの回転軸と反対方向に突設されているため、汎用モータをハウジングケース１５０にセットした後でハーネス１３１、１３１…を汎用モータの雄端子にセットしようとすると、ハウジングケース１５０自体や当該ハウジングケース１５０にセットされた他の構成要素が邪魔になり、ハーネス１３１、１３１…を汎用モータの雄端子に取り付ける作業の効率が悪化してしまう。一方、ハーネス１３１、１３１…を汎用モータにセットしてからハウジングケース１５０に取り付けようとすると、ハーネス１３１、１３１…を接続した状態で汎用モータを取り扱わなければならず、やはり作業性が悪化してしまう。すなわち、鏡面調整アクチュエータに汎用モータを使用しようとすると、組立作業の作業効率が悪化してしまうという問題があった。
【０００７】
また、汎用モータとハーネスとを接続する際に、汎用モータのようにモータ側の端子が雄型に形成されている場合に比べて、従来のモータ１１０のようにモータ側の端子が雌型に形成されているほうが、作業効率がよいことが経験的に知られている。このような理由から、従来の鏡面調整アクチュエータのモータ１１０の端子は、雌型に形成されているところ、汎用モータの端子は雄型であるため、汎用モータを鏡面調整アクチュエータに用いた場合には、ハーネス接続作業の効率が悪化するおそれがあった。
【０００８】
また、従来の鏡面調整アクチュエータにおいては、２つのモータ１１０Ａ、１１０Ｂに４本のハーネス１３１、１３１…を接続して給電しているが、４本のうちの２本はグランド（電位基準面）に接続されるハーネスであることから共通化が可能である。そこで、実際には、４本のハーネス１３１、１３１…を２つのモータ１１０Ａ、１１０Ｂに接続した後で、モータ１１０Ａ、１１０Ｂの回転方向を考慮して、４本のうちの２本をかしめて途中から１本にする作業が行われていた。しかし、このかしめ作業には、手間と時間が掛かり、コスト増大の一要因となっていた。また、当該かしめ作業は、右側のサイドミラー用の鏡面調整アクチュエータと、左側のサイドミラー用の鏡面調整アクチュエータとで、かしめるべきハーネス１３１、１３１…が異なるため、ミスが発生しやすいという問題があった。
【０００９】
本発明は、これらの問題を解決するためになされたものであり、汎用モータを用いた場合でも、組立作業の作業効率を悪化させることがない鏡面調整アクチュエータ用アダプタ、及び、これを用いた２つのモータとハーネス群との接続構造を提供することを課題とする。
また、本発明は、４本のハーネスのうちの２本のハーネスを途中でかしめる必要がない、換言すれば、３本のハーネスで２つの汎用モータに給電することが可能な鏡面調整アクチュエータ用アダプタ、及び、これを用いた２つのモータとハーネス群との接続構造を提供することを他の課題とする。
【課題を解決するための手段】
【００１０】
請求項１に係る鏡面調整アクチュエータ用アダプタは、一端側に回転軸を備えるとともに他端側に一対の雄端子を備え、底壁と周壁とを有するハウジングケースに対して前記一対の雄端子と前記周壁とが対向するように設置される２つのモータと、前記２つのモータに給電するためのハーネス群と、を接続する鏡面調整アクチュエータ用アダプタであって、アダプタ本体と、前記各モータの雄端子と嵌合する二対のモータ用雌端子と、前記ハーネス群に設けられる端子と嵌合する複数のハーネス用端子と、前記各モータ用雌端子と前記各ハーネス用端子とを接続する複数の導電体と、を備え、前記モータ用雌端子は、前記アダプタ本体の一の面に形成され、前記ハーネス用端子は、前記アダプタ本体と前記モータとを互いに接続した状態で前記ハウジングケースの底壁に設置したときに、当該底壁と反対方向を向く前記アダプタ本体の他の面に形成されていることを特徴とする。
【００１１】
かかる構成によれば、前記モータ用雌端子は、前記アダプタ本体の一の面に形成され、前記ハーネス用端子は、前記アダプタ本体と前記モータとを互いに接続した状態で前記ハウジングケースの底壁に設置したときに、当該底壁と反対方向を向く前記アダプタ本体の他の面に形成されていることから、ハウジングケースの周壁と対向しているモータの雄端子に対して、ハウジングケースの底壁と反対方向から、アダプタを介してハーネス群を接続することが可能となる。そのため、ハウジングケースに取り付けられた他の部品や周壁に邪魔されることなく、ハーネス群とモータを容易に接続することができる。
【００１２】
ここで、モータ用雌端子が設けられるアダプタ本体の一の面と、ハーネス用端子が設けられるアダプタ本体の他の面とがなす角度は、ハウジングケースの周壁やハウジングケースに取り付けられた他の部品に邪魔されることなく、ハーネス群をモータに容易に取り付けることができる角度であれば、特に限定されるものではないが、９０°程度が好ましい。
【００１３】
また、鏡面調整アクチュエータ用アダプタは、前記モータの雄端子と嵌合する二対のモータ用雌端子と、前記ハーネス群に設けられる端子と嵌合する複数のハーネス用端子と、を備えていることから、雄端子を備える汎用モータと接続することができる。そのため、鏡面調整アクチュエータ用のモータとして汎用モータを用いることができる。
なお、「ハーネス用端子」は、「雌型」、「雄型」どちらでもよい。すなわち、ハーネス群に設けられる端子を「雄型」にするならば、ハーネス用端子を「雌型」にし、ハーネス群に設けられる端子を「雌型」にするならば、ハーネス用端子を「雄型」にすればよい。このとき、ハーネス用端子を雌型に構成すれば、雄型にする場合に比べて作業効率がよいことが経験的に知られている。そのため、ハーネス用端子を「雌型」にすれば、雄端子を備える汎用モータを用いてもハーネス群を接続する作業の効率が悪化することがない。
【００１４】
請求項２に係る鏡面調整アクチュエータ用アダプタは、請求項１に記載の鏡面調整アクチュエータ用アダプタであって、前記複数のハーネス用端子は、３つのハーネス用端子で構成され、前記各導電体は、前記二対のモータ用雌端子のうち、それぞれの対の一方のモータ用雌端子と、前記３つのハーネス用端子のうちの１つのハーネス用端子とを接続するとともに、他方のモータ用雌端子と、他の２つのハーネス用端子とをそれぞれ接続することを特徴とする。
【００１５】
かかる構成によれば、前記複数のハーネス用端子は、３つのハーネス用端子で構成され、前記各導電体は、前記二対のモータ用雌端子のうち、それぞれの対の一方のモータ用雌端子と、前記３つのハーネス用端子のうちの１つのハーネス用端子とを接続するとともに、他方のモータ用雌端子と、他の２つのハーネス用端子とをそれぞれ接続することから、かかる鏡面調整アクチュエータに２つのモータを取り付けた場合に、一方のモータの一対の雄端子のうちの一つと、他方のモータの一対の雄端子のうちの一つとが、モータ用雌端子と導電体とを介して、３つのハーネス用端子のうちの１つのハーネス用端子に接続されることとなる。そのため、従来４本必要であったハーネスを３本に減らすことができる。また、従来、４本のハーネスのうちのグランドすべき２本をかしめていた作業を省略することが可能となる。
【００１６】
ここで、右側サイドミラー用の鏡面調整アクチュエータと、左側サイドミラー用の鏡面調整アクチュエータとを作り分ける場合には、一方のモータのプラス端子とマイナス端子を左側用と右側用とで逆向きにして、鏡面調整アクチュエータ用アダプタのモータ用雌端子に接続すればよい。これにより、従来に比べて確実かつ容易に右側サイドミラー用の鏡面調整アクチュエータと、左側サイドミラー用の鏡面調整アクチュエータとを作り分けることができる。
【００１７】
また、請求項３に係る２つのモータとハーネス群との接続構造は、一端側に回転軸を備えるとともに他端側に一対の雄端子を備え、底壁と周壁とを有するハウジングケースに対して前記一対の雄端子と前記周壁とが対向するように設置される２つのモータと、この２つのモータに給電するハーネス群と、前記２つのモータと前記ハーネス群とを接続する鏡面調整アクチュエータ用アダプタと、からなる２つのモータとハーネス群との接続構造であって、前記鏡面調整アクチュエータ用アダプタは、アダプタ本体と、前記モータの雄端子と嵌合する二対のモータ用雌端子と、前記ハーネス群に設けられる雄端子と嵌合する複数のハーネス用端子と、前記各モータ用雌端子と前記各ハーネス用端子とを接続する複数の導電体と、を備え、前記モータ用雌端子は、前記アダプタ本体の一の面に形成され、前記ハーネス用端子は、前記アダプタ本体と前記モータとを互いに接続した状態で前記ハウジングケースの底壁に設置したときに、当該底壁と反対方向を向く前記アダプタ本体の他の面に形成され、前記ハーネス群は、前記ハーネス用端子に接続されていることを特徴とする。
【００１８】
また、請求項４に係る２つのモータとハーネス群との接続構造は、一端側に回転軸を備えるとともに他端側に一対の雄端子を備え、底壁と周壁とを有するハウジングケースに対して前記一対の雄端子と前記周壁とが対向するように設置される２つのモータと、この２つのモータに給電するハーネス群と、前記２つのモータと前記ハーネス群とを接続する鏡面調整アクチュエータ用アダプタと、からなるモータとハーネスとの接続構造であって、前記鏡面調整アクチュエータ用アダプタは、アダプタ本体と、前記モータの雄端子と嵌合する二対のモータ用雌端子と、前記ハーネス群に設けられる端子と嵌合する複数のハーネス用端子と、前記各モータ用雌端子と前記各ハーネス用端子とを接続する複数の導電体と、を備え、前記モータ用雌端子は、前記アダプタ本体の一の面に形成され、前記ハーネス用端子は、前記アダプタ本体と前記モータとを互いに接続した状態で前記ハウジングケースの底壁に設置したときに、当該底壁の方向を向く前記アダプタ本体の他の面に形成され、前記ハーネス群は、前記ハウジングケースの底壁に前記ハーネス用端子に対応して形成された挿通孔を介して、前記ハーネス用端子に接続されていることを特徴とする。
【００１９】
かかる構成によれば、前記ハーネス用端子は、前記アダプタ本体と前記モータとを互いに接続した状態で前記ハウジングケースの底壁に設置したときに、当該底壁の方向を向く前記アダプタ本体の他の面に形成され、前記ハーネス群は、前記ハウジングケースの底壁に前記ハーネス用端子に対応して形成された挿通孔を介して、前記ハーネス用端子に接続されていることから、ハウジングケースの周壁やその他の構成要素に邪魔されることなく、ハウジングケースの底壁方向から、挿通孔を介して、ハーネス群を２つのモータに接続することができる。
【００２０】
請求項５に係る２つのモータとハーネス群との接続構造は、請求項３又は請求項４に記載の２つのモータとハーネス群との接続構造であって、前記ハーネス群は、３本のハーネスと、この３本のハーネスの端部が連結される３つの端子と、を備え、前記複数のハーネス用端子は、３つのハーネス用端子で構成され、前記鏡面調整アクチュエータ用アダプタの各導電体は、前記二対のモータ用雌端子のうち、それぞれの対の一方のモータ用雌端子と、前記３つのハーネス用端子のうちの１つのハーネス用端子とを接続するとともに、他方のモータ用雌端子と、他の２つのハーネス用端子とをそれぞれ接続することを特徴とする。
【発明の効果】
【００２１】
本発明によれば、汎用モータを用いた場合でも、組立作業の作業効率を悪化させることがない鏡面調整アクチュエータ用アダプタ、及び、これを用いた２つのモータとハーネス群との接続構造を提供することができる。
また、本発明によれば、４本のハーネスのうちの２本のハーネスを途中でかしめる必要がない、換言すれば、３本のハーネスで２つの汎用モータに給電することが可能な鏡面調整アクチュエータ用アダプタ、及び、これを用いた２つのモータとハーネス群との接続構造を提供することができる。そのため、ハーネスを配策するスペースに余裕ができるとともに、ハーネス及びハーネス端子の数を削減してコストを低減し、さらに、ハーネスのかしめ作業を省略することができる。
【発明を実施するための最良の形態】
【００２２】
本発明を実施するための最良の形態について、図面を参照して説明する。なお、各図面において、同一の要素には同一の番号を付し、重複する説明は省略する。説明する図面において、図１は、第１実施形態に係るアダプタを備える鏡面調整アクチュエータを示した斜視図である。図２は、第１実施形態に係るアダプタを備える鏡面調整アクチュエータの一部を拡大して示した斜視図である。図３は、第１実施形態に係るアダプタと、これに接続されるモータ及びハーネス群を示した分解斜視図である。図４は、モータとハーネスの接続手順を説明するための図である。なお、以下の説明において、「上」、「下」という場合には、図１の上下方向を意味するものとする。
【００２３】
＜鏡面調整アクチュエータＡ＞
はじめに、図１、図２を参照して鏡面調整アクチュエータＡの構造について説明する。
鏡面調整アクチュエータＡは、自動車のサイドミラーの傾きを調節する装置であり、自動車のサイドミラーカバー内に収納されるものである。鏡面調整アクチュエータＡは、図１に示すように、モータ１０などを収納するハウジングフロント５０と、ミラー（図示せず）が固定されるプレートピボット７０と、このプレートピボット７０を自在に傾動させるための球座を備えるハウジングリア６０と、から構成されている。
【００２４】
（ハウジングフロント５０）
ハウジングフロント５０は、図１及び図２に示すように、底壁５１と、この底壁５１の周囲を囲む周壁５２とを備える。ハウジングフロント５０の底壁５１には、２つのモータ１０Ａ、１０Ｂと、当該モータ１０Ａ、１０Ｂとハーネス群３０とを接続するアダプタ２０と、当該モータ１０Ａ、１０Ｂによって回転させられるウォームギア４０（４０Ａ、４０Ｂ）とが設置されている。ハウジングフロント５０の底壁５１には、凹部（図５参照）が形成されており、モータ１０Ａ、１０Ｂを嵌め込むことができるようになっている。なお、かかるハウジングフロント５０が、特許請求の範囲にいう「ハウジングケース」に相当する。
【００２５】
アダプタ２０と２つのモータ１０Ａ、１０Ｂとは、互いに接続された状態でハウジングフロント５０の底壁５１に設置されている。２つのモータ１０Ａ、１０Ｂは、回転軸１２Ａ、１２Ｂ（図３参照）をウォームギア４０Ａ、４０Ｂ側に向けて設置されている。回転軸１２Ａ、１２Ｂには、ウォームギア４０Ａ、４０Ｂの円筒ウォーム４１Ａ、４１Ｂが接続されている。また、アダプタ２０と２つのモータ１０Ａ、１０Ｂは、底壁５１に形成された凹部に嵌め込まれているとともに、その周囲の一部をハウジングフロント５０の周壁５２に押えられており、ぐらつかないようになっている。ハーネス群３０は、アダプタ２０を介して２つのモータ１０Ａ、１０Ｂに接続されている。
モータ１０、アダプタ２０、ハーネス群３０の構造については、図３を参照して後に詳しく説明する。
【００２６】
（ウォームギア４０）
ウォームギア４０Ａ、４０Ｂは、図２に示すように、主に、円筒ウォーム４１Ａ、４１Ｂと、ホイールウォーム４２Ａ、４２Ｂと、ナットアジャスト４３Ａ、４３Ｂとから構成されている。
円筒ウォーム４１Ａ、４１Ｂは、モータ１０Ａ、１０Ｂの回転軸１２Ａ、１２Ｂ（図３参照）に接続されており、モータ１０Ａ、１０Ｂの回転力をホイールウォーム４２Ａ、４２Ｂに伝達するようになっている。ホイールウォーム４２Ａ、４２Ｂの中心部には、雄ねじ部４４Ａ、４４Ｂが突設されている。ナットアジャスト４３Ａ、４３Ｂは、下端部が開口した円筒状の部材であり、その開口部には前記雄ねじ部４４Ａ、４４Ｂと係合する係合片が形成されている。また、ナットアジャスト４３Ａ、４３Ｂの上端部には、球状の係合部４５Ａ、４５Ｂが形成されており、プレートピボット７０の裏面に形成された係合部（図示せず）に傾動可能、かつ、回転不可能に連結されるようになっている。ナットアジャスト４３Ａ、４３Ｂは、係合部４５Ａ、４５Ｂに設けられた突起によって、プレートピボット７０に対して回転しないように連結されることから、ホイールウォーム４２Ａ、４２Ｂが回転すると、雄ねじ部４４Ａ、４４Ｂに対して上下動するようになっている。
【００２７】
（ハウジングリア６０）
ハウジングリア６０は、ハウジングフロント５０の上蓋としての役割を果たすと共に、後記するプレートピボット７０と協働してミラーを傾動させる球座としての機能を果たすものである。ハウジングリア６０は、図１に示すように、主に、後記するプレートピボット７０と嵌合する凹部６１と、この凹部６１の底面に形成された蓋部６２とから構成されている。凹部６１の内周面６１ａは、球面状に形成されている。また、凹部６１の底面には、ハウジングフロント５０に設置されたウォームギア４０Ａ、４０Ｂのナットアジャスト４３Ａ、４３Ｂに対応する位置に、２つの貫通孔６３（一方のみ図示）が形成されている。
【００２８】
（プレートピボット７０）
プレートピボット７０は、図１に示すように、主に、ハウジングリア６０の凹部６１と嵌合する凸部７１と、サイドミラーが取り付けられる平面部７２とから構成されている。凸部７１の外周面は球面状に形成されており、前記したハウジングリア６０の凹部６１の内周面６１ａと摺動することにより球座として機能するようになっている。平面部７２の中央部には、小さな球座７３が形成されており、プレートピボット７０は、この小さな球座７３を介してハウジングリア６０にねじ止めされることにより、ハウジングリア６０に対して傾動自在になっている。平面部７２の裏面には、ウォームギア４０Ａ、４０Ｂの係合部４５Ａ、４５Ｂと係合する係合凹部（図示せず）が形成されている。これにより、モータ１０Ａ、１０Ｂによってホイールウォーム４２Ａ、４２Ｂが回転させられると、ナットアジャスト４３Ａ、４３Ｂが上下動し、これに伴ってプレートピボット７０が傾動するようになっている（図２参照）。
【００２９】
つづいて、図３を参照して、ハウジングフロント５０に設置される２つのモータ１０Ａ、１０Ｂ、アダプタ２０およびハーネス群３０について説明する。
【００３０】
（モータ１０）
２つのモータ１０Ａ、１０Ｂは、図３に示すように、モータ本体１１Ａ、１１Ｂの一端側に回転軸１２Ａ、１２Ｂを備えると共に、他端側に一対の雄端子１３Ａ（１３Ａａ、１３Ａｂ）、１３Ｂ（１３Ｂａ、１３Ｂｂ）を備えている。モータ本体１１Ａ、１１Ｂは、断面視小判形（円の一部を平行に２箇所切り取った形状）を呈している。２つのモータ１０Ａ、１０Ｂは、モータ本体１１Ａ、１１Ｂの平坦な面を互いに当接させた状態で、円弧状の面を底壁５１側に向けてハウジングフロント５０に設置されている（図２参照）。これにより、ハウジングフロント５０に占める２つのモータ１０Ａ、１０Ｂの投影面積は、モータ１０の平坦な面を底壁５１に向けて設置する場合に比べて小さくなる。一対の雄端子１３Ａ（１３Ａａ、１３Ａｂ）、１３Ｂ（１３Ｂａ、１３Ｂｂ）は、モータ１０Ａ、１０Ｂを回転させるための電流が供給される部分であり、後記するアダプタ２０に形成されたモータ用雌端子２２に接続される。
【００３１】
（アダプタ２０）
アダプタ２０は、前記２つのモータ１０Ａ、１０Ｂと、後記するハーネス群３０とを接続する部材であり、第１実施形態では、図３に示すように、扁平な矩形の箱状に形成されたアダプタ本体２１と、前記２つのモータ１０Ａ、１０Ｂの二対の雄端子１３Ａ、１３Ｂと嵌合する４つの（二対の）モータ用雌端子２２（２２ａ、２２ｂ、２２ｃ、２２ｄ）と、後記するハーネス群３０の雄端子３３と嵌合する３つのハーネス用雌端子２３（２３ａ、２３ｂ、２３ｃ）と、これらのモータ用雌端子２２とハーネス用雌端子２３とを接続する複数の導電体２４ａ、２４ｂ、２４ｃ、２４ｄ、２４ｅと、を備えて構成されている。
【００３２】
４つの（二対の）モータ用雌端子２２ａ、２２ｂ、２２ｃ、２２ｄは、アダプタ本体２１の一の面（以下、「第１面」という。）２１ａに、前記２つのモータ１０Ａ、１０Ｂの二対の雄端子１３Ａ、１３Ｂに対応する配置で、例えば合成樹脂などによりインサート成形されている。
第１実施形態においては、モータ用雌端子２２ａ、２２ｂが、モータ１０Ａの雄端子１３Ａａ、１３Ａｂに対応し、モータ用雌端子２２ｃ、２２ｄが、モータ１０Ｂの雄端子１３Ｂａ、１３Ｂｂに対応している。
また、３つのハーネス用雌端子２３ａ、２３ｂ、２３ｃは、前記第1面２１ａと９０°の角度をなす他の面（以下、「第２面」という。）２１ｂに形成されている。
第１実施形態においては、アダプタ２０は、２つのモータ１０Ａ、１０Ｂとアダプタ２０とをハウジングフロント５０にセットしたときに、３つのハーネス用雌端子２３ａ、２３ｂ、２３ｃがハウジングリア６０側を向くように、２つのモータ１０Ａ、１０Ｂに接続されている（図１参照）。
【００３３】
ここで、モータ１０Ａに接続されるモータ用雌端子２２ａ、２２ｂのうち、モータ用雌端子２２ａは導電体２４ａを介してハーネス用雌端子２３ａに接続され、モータ用雌端子２２ｂは導電体２４ｂ、２４ｅを介してハーネス用雌端子２３ｂに接続されている。また、モータ１０Ｂに接続されるモータ用雌端子２２ｃ、２２ｄのうち、モータ用雌端子２２ｃは導電体２４ｃを介してハーネス用雌端子２３ｃに接続され、モータ用雌端子２２ｄは導電体２４ｄ、２４ｅを介してハーネス用雌端子２３ｂに接続されている。すなわち、モータ用雌端子２２ｂとモータ用雌端子２２ｄは、導電体２４ｂ、２４ｄ、２４ｅを介して同一のハーネス用雌端子２３ｂに接続されている。
これにより、モータ１０Ａの一方の雄端子１３Ａｂとモータ１０Ｂの一方の雄端子１３Ｂｂは、ハーネス用雌端子２３ｂを介して共通のハーネス３１ｂに接続されることとなる。したがって、かかるハーネス３１ｂを電位基準面（グランド）に接続することにより、従来必要とされていた２本のハーネスをかしめて１本にする作業が不要となる。
【００３４】
なお、従来は、２つのモータ１０Ａ、１０Ｂの回転軸１２Ａ、１２Ｂの回転方向を考慮して、１本にかしめるハーネスを選択していたが、第１実施形態においては、例えば、アダプタ２０のモータ用雌端子２２ｃ、２２ｄに対して、一方のモータ１０Ｂの雄端子１３Ｂａ、１３Ｂｂを逆にして（プラス端子とマイナス端子を逆にして）接続することにより、モータ１０Ｂの回転軸１２Ｂの回転方向を反転させることができる。このように、第１実施形態に係るアダプタ２０によれば、いずれのハーネスを１本にかしめるかを選択する必要がなく、モータ１０の向きを変えるだけで、右サイドミラー用と左サイドミラー用の鏡面調整アクチュエータＡを容易に作り分けることが可能となる。
【００３５】
（ハーネス群３０）
ハーネス群３０は、モータ１０Ａ、１０Ｂに電流を供給する３本のハーネス３１ａ、３１ｂ、３１ｃと、当該ハーネス３１ａ、３１ｂ、３１ｃの端部を覆うコネクタ３２と、当該コネクタ３２の下面に突設された３つの雄端子３３ａ、３３ｂ、３３ｃとから構成されている。コネクタ３２は、図２に示すように、薄い板状の部材であり、ハーネス群３０をアダプタ２０に取り付けたときに、アダプタ２０の上面を覆うようになっている。３つの雄端子３３ａ、３３ｂ、３３ｃは、例えば金属板などの導電性材料からなり、アダプタ本体２１の第２面２１ｂに形成されたハーネス用雌端子２３ａ、２３ｂ、２３ｃの位置に対応して配置されている。３本のハーネス３１ａ、３１ｂ、３１ｃの先端部は、３つの雄端子３３ａ、３３ｂ、３３ｃに接続されている。
【００３６】
（２つのモータとハーネス群との接続）
つぎに、図３、図４を参照してモータ１０Ａ、１０Ｂと、アダプタ２０と、ハーネス群３０と、ハウジングフロント５０との組立手順について説明する。図４は、モータとハーネスの接続手順を説明するための図である。
【００３７】
まず、図４（ａ）に示すように、モータ１０Ａ、１０Ｂの雄端子１３Ａａ、１３Ａｂ、１３Ｂａ、１３Ｂｂを、アダプタ２０のモータ用雌端子２２ａ、２２ｂ、２２ｃ、２２ｄに挿入することにより、モータ１０Ａ、１０Ｂとアダプタ２０とを接続する（適宜図３参照）。このとき、モータ１０Ａとモータ１０Ｂは、モータ本体１１Ａ、１１Ｂの平らな面同士を当接させた状態でアダプタ２０に接続される（図２、図３参照）。また、モータ１０Ａ、１０Ｂの回転軸１２、１２に、円筒ウォーム４１Ａ、４１Ｂを取り付けておく。
【００３８】
次に、互いに接続されたモータ１０Ａ、１０Ｂとアダプタ２０を、ハウジングフロント５０の設置スペース５３に設置する。このとき、ハーネス用雌端子２３ａ、２３ｂ、２３ｃが形成されたアダプタ本体２１の第２面２１ｂが、ハウジングフロント５０の底壁５１と反対方向を向くようにして設置する。
【００３９】
そして、ハウジングフロント５０の設置スペース５３に設置されたアダプタ２０のハーネス用雌端子２３ａ、２３ｂ、２３ｃに対して、ハーネス群３０のコネクタ３２の下面に形成された雄端子３３ａ、３３ｂ、３３ｃを挿入することにより、アダプタ２０とハーネス群３０とを接続する。このとき、アダプタ２０のハーネス用雌端子２３ａ、２３ｂ、２３ｃは上方に向けられていることから、ハウジングフロント５０の周壁５２等が邪魔になることがなくなり、アダプタ２０とハーネス群３０との接続が容易である。
【００４０】
なお、アダプタ２０の２つのモータ用雌端子２２ｂ、２２ｄは、一つのハーネス用雌端子２３ｂに接続されていることから、従来のように４本のハーネスの中から電位基準面に接続される２本のハーネスを選択して一本にかしめる作業をする必要がない（図３参照）。また、モータ１０の回転軸１２の回転方向を反転させる場合には、アダプタ２０に対してモータ１０のプラス端子とマイナス端子を逆にして接続すればよい。具体的に説明すると、図４（ａ）において、仮に、モータ１０Ｂの一方の雄端子１３Ｂａをプラス端子、他方の雄端子１３Ｂｂをマイナス端子とすれば、回転方向を反転させる場合には、プラス端子である雄端子１３Ｂａをアダプタ２０のモータ用雌端子２２ｄに接続し、マイナス端子である雄端子１３Ｂｂをアダプタ２０のモータ用雌端子２２ｃに接続すればよい。このように、第１実施形態においては、図４（ａ）におけるモータ１０Ｂの上下の向きを逆転させることにより、モータ１０の回転方向を容易に反転させることができる。
なお、ハーネス群３０をアダプタ２０に取り付ける向きは、本実施形態の向きに限られるものではなく、次に説明する第２実施形態のような構成としてもよい。
【００４１】
＜第２実施形態＞
つづいて、第２実施形態に係る接続構造について図５、図６を参照して説明する。説明において、同一の要素には同一の符号を付し、重複する説明は省略する。図５は、第２実施形態に係るアダプタとハーネス群との接続構造を示した分解斜視図である。図６は、図５のＡ−Ａ線断面を示す断面図である。
【００４２】
第２実施形態に係る接続構造は、図５、図６に示すように、ハウジングフロント５０’に対してアダプタ２０がハーネス用雌端子２３を底壁５１’側に向けて設置されている点、および、ハウジングフロント５０’の底壁５１’がハーネス群３０’の雄端子３３’を挿通させるための挿通孔５４’を備えている点が、前記した実施形態と異なっている。
【００４３】
すなわち、第２実施形態においては、アダプタ２０は、図５に示すように、ハーネス用雌端子２３（２３ａ、２３ｂ、２３ｃ）が形成されている面をハウジングフロント５０’側に向けて、モータ１０Ａ、１０Ｂに接続されている。そして、モータ１０Ａ、１０Ｂ及びアダプタ２０は、互いに接続された状態でハウジングフロント５０’に設置される。
【００４４】
また、ハウジングフロント５０’は、図５に示すように、底壁５１'と、周壁５２’とを備えている。この底壁５１'には、モータ１０Ａ、１０Ｂのモータ本体１１Ａ、１１Ｂ及びアダプタ２０と嵌合する凹部５３’が形成されている。そして、かかる凹部５３'の底壁５１'には、アダプタ２０のハーネス用雌端子２３に対応する位置に、挿通孔５４’（５４ａ’、５４ｂ’、５４ｃ’）が形成されている。
【００４５】
また、ハーネス群３０’は、図５に示すように、３本のハーネス３１’とコネクタ３２’と雄端子３３’とから構成されている。また、ハーネス群３０’は、アダプタ２０に対してハウジングフロント５０’の底壁５１'を挟んだ位置に配置されており、ハーネス群３０’の雄端子３３’は、底壁５１'に形成された挿通孔５４’を通って、アダプタ２０のハーネス用雌端子２３に挿入可能になっている。なお、コネクタ３２’は、ハウジングフロント５０’の凹部５３’に外嵌可能な形状に形成されている。
【００４６】
かかる構成によれば、図６に示すように、ハウジングフロント５０’に設置されたアダプタ２０に対してハーネス群３０’を下方から（底壁５１'側から）接続することができる。そのため、ハウジングフロント５０’に搭載された他の部品や周壁５２’に邪魔されることがなく、接続が容易であるとともに、アダプタ２０にハーネス群３０’を接続したときのハウジングフロント５０に対する投影面積を小さくすることができる。
【００４７】
＜第３実施形態＞
つづいて、第３実施形態に係るアダプタについて図７を参照して説明する。説明において、同一の要素には同一の符号を付し、重複する説明は省略する。図７は、第３実施形態に係るアダプタの断面図である。
【００４８】
第３実施形態に係るアダプタ２０’は、導電体２４ａと導電体２４ｄとの間、および、導電体２４ｃと導電体２４ｄとの間に、コンデンサ２５’、２５’が接続されている点が、前記した第１、第２実施形態と異なっている。
【００４９】
これらのコンデンサ２５’は、モータ１０Ａ、１０Ｂの回転時に、ブラシとコミュテータ（整流子）による整流の火花に起因して発生する電磁ノイズを低減又は除去するために取り付けられるものである。コンデンサ２５’によって電磁ノイズが低減又は除去されることにより、車両に搭載された電子部品の誤作動などを防止することができる。また、これらのコンデンサ２５’をアダプタ２０’に搭載することにより、従来必要としていたハーネス３１（図１参照）の被覆を剥いで芯線にコンデンサを連結する作業を省略することができる。
なお、第３実施形態においては、ハーネス用雌端子２３ａ、２３ｂ、２３ｃが、アダプタ２０’の中心に対して線対称となるように配置されている。
【００５０】
以上、本発明の実施形態について図面を参照して詳細に説明したが、本発明はこれらの実施形態に限定されるものではなく、本発明の趣旨を逸脱しない範囲で適宜設計変更が可能である。
【００５１】
例えば、本実施形態においては、モータ本体１１が断面視小判形をしたモータ１０を使用したが、汎用的なモータであれば、どのような形状のモータでもかまわない。
また、本実施形態においては、ハーネス群３０の端子３３を「雄型」に構成し、アダプタ２０のハーネス用端子を「雌型」に構成したが、これに限られるものではなく、ハーネス群３０の端子３３を「雌型」に構成し、アダプタ２０のハーネス用端子を「雄型」に構成しても良い。
【００５２】
また、ハウジングフロント５０、ハウジングリア６０およびプレートピボット７０の構造は、本実施形態で示した構造に限定されるものではない。
【００５３】
また、本実施形態においては、アダプタ本体２１の形状を、扁平な矩形の箱型状としたが、汎用的なモータに接続可能であり、ハーネス群の接続が容易であればどのような形状でもかまわない。
【００５４】
また、アダプタ本体２１に設けられるハーネス用雌端子の位置は、図３に示した位置に限られるものではないことは言うまでもなく、設計条件などに合わせて適宜変更が可能である。そのため、従来は、モータに設けられた雌端子の配置に限定されてしまっていたハーネス群３０の雄端子３３の配置を自由に設定することができる。これにより、ハーネス群３０のコネクタ３２を小型化すること等が可能となる。
【図面の簡単な説明】
【００５５】
【図１】第１実施形態に係るアダプタを備える鏡面調整アクチュエータを示す斜視図である。
【図２】第１実施形態に係るアダプタを備える鏡面調整アクチュエータの一部を拡大して示した斜視図である。
【図３】第１実施形態に係るアダプタと、これに接続されるモータ及びハーネス群を示した分解斜視図である。
【図４】モータとハーネスとの接続手順を示した断面図である。
【図５】第２実施形態に係るアダプタとハーネス群との接続構造を示した分解斜視図である。
【図６】図５のＡ−Ａ線断面を示す断面図である。
【図７】第３実施形態に係るアダプタの断面図である。
【図８】従来の鏡面調整アクチュエータの構造を示した斜視図である。
【図９】従来の鏡面調整アクチュエータの構造を示した図であり、（ａ）は平面図、（ｂ）は断面図をそれぞれ示す。
【符号の説明】
【００５６】
１０    モータ
２０、２０’    アダプタ
２１    アダプタ本体
２２    モータ用雌端子
２３    ハーネス用雌端子
２４    導電体
３０    ハーネス群
４０    ウォームギア
５０、５０’    ハウジングフロント
６０    ハウジングリア
７０    プレートピボット
Ａ      鏡面調整アクチュエータ
【図１】
2006088788.tif 000003
【図２】
2006088788.tif 000004
【図３】
2006088788.tif 000005
【図４】
2006088788.tif 000006
【図５】
2006088788.tif 000007
【図６】
2006088788.tif 000008
【図７】
2006088788.tif 000009
【図８】
2006088788.tif 000010
【図９】
2006088788.tif 000011